(57)【要約】【課題】構造が簡単で、信頼性の高いスイッチ装置を提供する。【解決手段】スイッチ装置２は、配線パターン２５Ａが形成された基板２０と、第１の導電体２４ａを有し、第１及び第２の配線２５ａ、２５ｂと第１の導電体２４ａとが電気的に接することによって１段目のスイッチを構成する１段目コンタクト２３ａ、及び、１段目コンタクト２３ａの周辺に自在に変形する湾曲部２３ｃを介して形成され、第３及び第４の配線２５ｃ、２５ｄに対応した位置に第２の導電体２４ｂを有し、第３及び第４の配線２５ｃ、２５ｄと第２の導電体２４ｂが電気的に接することによって２段目のスイッチを構成する２段目コンタクト２３ｂを有するラバーコンタクト２３と、ラバーコンタクト２３と接し、プッシュ方向に変位するノブ２２とを備え、２段目コンタクト２３ｂは、距離ｄ１及びｄ２を保持するコイルばね２６が設けられている。【選択図】図２
2009054418.tif 000002
【特許請求の範囲】
【請求項１】
第１〜第４の配線が形成された基板と、
前記第１及び第２の配線に対応した位置に第１の導電体を有し、前記第１及び第２の配線と前記第１の導電体とが電気的に接することによって第１のスイッチ部を構成する第１のコンタクト、及び、前記第１のコンタクトの周辺に自在に変形する湾曲部を介して形成され、前記第３及び第４の配線に対応した位置に第２の導電体を有し、前記第３及び第４の配線と前記第２の導電体が電気的に接することによって第２のスイッチ部を構成する第２のコンタクトを有するスイッチ部材と、
前記スイッチ部材と接し、プッシュ操作が行われることによってプッシュ方向に変位するノブと、
前記基板と前記スイッチ部材との間に、前記第１及び第２の導電体と前記第１〜第４の配線との距離を保持する弾性体と、
を備えたことを特徴とするスイッチ装置。
【請求項２】
前記ノブが、前記第２のコンタクトに接するように配置されるとき、
前記第１のコンタクトは、前記第１の導電体と前記第１及び第２の配線との距離を前記第２の導電体と前記第３及び第４の配線との距離に比べて小さくなるように前記スイッチ部材は形成され、
前記ノブは、前記プッシュ操作が行われたとき、前記弾性体が縮むことによって前記第１のスイッチ部がオンされ、続いて前記弾性体の縮み、及び前記湾曲部の変形によって前記第２のスイッチ部がオンされることを特徴とする請求項１に記載のスイッチ装置。
【請求項３】
前記ノブが、前記第１のコンタクトに接するように配置されるとき、
前記第２のコンタクトは、前記第２の導電体と前記第３及び第４の配線との距離を前記第１の導電体と前記第１及び第２の配線との距離に比べて小さくなるように前記スイッチ部材は形成され、
前記ノブは、前記プッシュ操作が行われたとき、前記弾性体が縮むことによって前記第２のスイッチ部がオンされ、続いて前記弾性体の縮み、及び前記湾曲部の変形によって前記第１のスイッチ部がオンされることを特徴とする請求項１に記載のスイッチ装置。
【発明の詳細な説明】
【技術分野】
【０００１】
本発明は、２段階に切換可能なスイッチ装置に関する。
【背景技術】
【０００２】
従来の技術として、固定接点と、該固定接点に対する位置に設けられ、該固定接点までのストローク長の小さい第１の可動接点、及びストローク長の大きい第２の可動接点を有する弾性部材と、該弾性部材を外部からの押圧力を受けて弾性変形させるキートップ部材とを備えた２段切換スイッチが知られている（特許文献１）。
【０００３】
弾性部材は、ゴムからなる弾性ベース板、及び弾性支持アームとを有し、弾性ベース板は、裏面側に脚部を介して第１及び第２の可動接点を設けている。弾性支持アームは、弾性ベース板を固定接点の設けられたプリント配線板上に支持している。
【０００４】
この２段切換スイッチによると、キートップ部材を下方に押圧していくと、弾性支持アームが変形し、第１の可動接点が、固定接点に押し付けられ、第１のストロークが完了し、１段目のスイッチ動作が完了する。続いてさらにキートップ部材を下方に押圧していくと、弾性ベース板が変形し、第２の可動接点が、固定接点に押し付けられ、第２のストロークが完了し、２段目のスイッチ動作が完了する。
【特許文献１】特公平６−８０５６７号公報
【発明の開示】
【発明が解決しようとする課題】
【０００５】
しかしながら、特許文献１の２段切換スイッチによると、第１の可動接点と対応する固定接点までのストローク長を維持するのは、弾性支持アームのみであり、押圧するときの荷重を低減させため、弾性支持アームの弾性力を小さくすると、第１の可動接点のストローク長の信頼性が損なわれ、また、ストローク長を維持するため、弾性支持アームの弾性力を大きくすると、押圧するときの荷重が大きくなるため、操作感触が悪化するという問題があった。更に、弾性支持アームがゴムで形成されるため、ゴムのへたり、温度、及び湿度による劣化が無視できず、信頼性に問題があった。
【０００６】
従って、本発明の目的は、構造が簡単で、信頼性が高く、更に２段階に切換が可能なスイッチ装置を提供することにある。
【課題を解決するための手段】
【０００７】
本発明は、上記目的を達成するために、第１〜第４の配線が形成された基板と、前記第１及び第２の配線に対応した位置に第１の導電体を有し、前記第１及び第２の配線と前記第１の導電体とが電気的に接することによって第１のスイッチ部を構成する第１のコンタクト、及び、前記第１のコンタクトの周辺に自在に変形する湾曲部を介して形成され、前記第３及び第４の配線に対応した位置に第２の導電体を有し、前記第３及び第４の配線と前記第２の導電体が電気的に接することによって第２のスイッチ部を構成する第２のコンタクトを有するスイッチ部材と、前記スイッチ部材と接し、プッシュ操作が行われることによってプッシュ方向に変位するノブとを備え、前記第２のコンタクトは、前記第１及び第２の導電体と対応する前記第１〜第４の配線との距離を保持する弾性体が設けられていることを特徴とするスイッチ装置を提供する。
【０００８】
上記のような構成によれば、構造が簡単で、信頼性が高く、更に２段階に切換が可能なスイッチ装置を提供することができる。
【発明の効果】
【０００９】
本発明によると、構造が簡単で、信頼性が高く、更に２段階に切換が可能なスイッチ装置を提供することができる。
【発明を実施するための最良の形態】
【００１０】
以下に本発明のスイッチ装置の実施の形態を図面を参考にして詳細に説明する。
【００１１】
[第１の実施の形態]
（車両１の構成）
図１は、本発明の第１の実施の形態に係る車両内部の概略図である。車両１は、スイッチ装置２と、メッセージ１０２等を表示することが可能なモニタ１０１とを備えている。スイッチ装置２は、２段階に切替わるスイッチになっており、一例として、車両１のハンドルに複数設置され、１段目のスイッチ操作によって、どの種類のスイッチが押されたかを示す情報が、モニタ１０１にメッセージ１０２として表示され、操作者が望む操作であった場合、更にスイッチ装置２をプッシュ操作して２段目のスイッチ操作を行うことによって、メッセージ１０２で示した内容、すなわち、本実施の形態においては、ＣＤの再生が実行される。
【００１２】
（スイッチ装置２の構成）
図２は、本発明の第１の実施の形態に係るスイッチ装置の図１におけるＡ−Ａ線断面図であり、図３は、本発明の第１の実施の形態に係る基板上に形成された配線パターンに関する概略図であり、図４は、本発明の第１の実施の形態に係るスイッチ装置に関するブロック図である。なお、図３におけるＡ−Ａ線は、図２における第１〜第４の配線２５ａ〜２５ｄを示しており、図１のＡ−Ａ線に対応している。
【００１３】
スイッチ装置２は、後述する配線パターン２５Ａを有する基板２０と、基板２０上に設置され、凹部２１ａにノブ２２が上下方向に自在に変位するように配置された本体２１と、ラバーコンタクト２３と裏面２２ｄで接し、矢印Ｂ方向のプッシュ操作によってプッシュ方向にラバーコンタクト２３と共に変位するノブ２２と、図３に示す第１及び第２の配線２５ａ、２５ｂの円形状部分に対応する位置に第１の導電体２４ａ設け、また、第３及び第４の配線２５ｃ、２５ｄの円形状部分に対応する位置に第２の導電体２４ｂが設けられたスイッチ部材としてのラバーコンタクト２３と、ラバーコンタクト２３の凹部２３ｄに設けられた弾性体であるコイルばね２６と、ゴム材によって形成され、外部からのごみの進入を防ぐマスクラバー２７とを備えて概略構成されている。また、図２に示す、第１の導電体２４ａと第１及び第２の配線２５ａ、２５ｂとによって第１のスイッチ部を構成し、第２の導電体２４ｂと第３及び第４の配線２５ｃ、２５ｄとによって第２のスイッチ部を構成している。
【００１４】
（配線パターン２５Ａについて）
配線パターン２５Ａは、例えば、金又は銅等の導電性を有する金属材で形成された図３に示す略円形状を有し、第１〜第４の配線２５ａ〜２５ｄによって構成されている。また、ノブ２２に対して行われた、図２の矢印Ｂ方向のプッシュ操作によって、第１の導電体２４ａが第１及び第２の配線２５ａ、２５ｂに接するとき、第１及び第２の配線２５ａ、２５ｂは、第１の導電体２４ａを介して電気的に接するよう構成されている。
【００１５】
更に、ノブ２２に対して行われた、図２の矢印Ｂ方向のプッシュ操作によって、第２の導電体２４ｂが第３及び第４の配線２５ｃ、２５ｄに接するとき、第３及び第４の配線２５ｃ、２５ｄは、第２の導電体２４ｂを介して電気的に接するよう構成されている。なお、配線パターン２５Ａの形状はこれに限定されず、第１及び第２の導電体２４ａ、２４ｂの接触によって、第１及び第２の配線２５ａ、２５ｂ、及び、第３及び第４の配線２５ｃ、２５ｄがそれぞれ電気的に接する形状であれば形状は問わない。
【００１６】
（ノブ２２の構成）
ノブ２２は、例えば、樹脂材又は金属材によって円形状に形成され、操作者の手指が接する基部２２ａと、基部２２ａの外周部に設けられ、本体２１の凹部２１ａと接することで、本体２１からの抜けを防止する凸部２２ｂと、基部２２ａと凸部２２ｂとで形成され、ラバーコンタクト２３が設けられた凹部２２ｃと、基部２２ａの裏面側であり、ラバーコンタクト２３が接する裏面２２ｄとを備えて構成されている。
【００１７】
（ラバーコンタクト２３の構成）
ラバーコンタクト２３は、例えば、ゴム材又は軟質樹脂材によって形成され、円形状を有する第１のコンタクトとしての１段目コンタクト２３ａと、円形状を有する第２のコンタクトとしての２段目コンタクト２３ｂと、１段目コンタクト２３ａと２段目コンタクト２３ｂとを繋ぐ略ドーム形状を有する湾曲部２３ｃとで構成されており、１段目コンタクト２３ａの先端には、円形状を有する第１の導電体２４ａが設けられ、２段目コンタクト２３ｂの先端には、図３に示す開区間２５ｅに対応する位置を除いた位置に設けられた略円形状の第２の導電体２４ｂが、設けられている。
【００１８】
第１及び第２の導電体２４ａ、２４ｂは、例えば、銅又は金等の導電性を有する金属材によって形成され、第１の導電体２４ａと第１及び第２の配線２５ａ、２５ｂとの距離ｄ１は、０．４ｍｍであり、第２の導電体２４ｂと第３及び第４の配線２５ｃ、２５ｄとの距離ｄ２は、１．３ｍｍである。
【００１９】
（コイルばね２６の構成）
コイルばね２６は、円筒状を有し、弾性力を図２の上方に付加しており、矢印Ｂ方向のスイッチ操作による、１段目のストロークを決める第１の導電体と第１及び第２の配線２５ａ、２５ｂとの距離ｄ１を、常に一定に保持する働きをしている。
【００２０】
従来のスイッチ装置においては、距離ｄ１を保持するための弾性体は、ゴムであり、ゴムのへたり、温度、及び湿度による劣化が無視できず、信頼性に問題があったが、本実施の形態におけるスイッチ装置２は、距離ｄ１を保持するための弾性体として、コイルばね２６を用いているので、へたり、温度、及び湿度による劣化に強く、また、信頼性が高く、構造も簡単である。また、スイッチ装置２は、コイルばね２６の調整によって、操作者のプッシュ操作における荷重を自由に調整できる。
【００２１】
（ＥＣＵ１００による制御について）
スイッチ装置２は、車両１を制御するＥＣＵ（Ｅｌｅｃｔｏｒｏｎｉｃ  Ｃｏｎｔｒｏｌ  Ｕｎｉｔ）１００に接続され、ＥＣＵ１００は、スイッチ装置２の１段目のスイッチ操作（第１のスイッチ部がオンされた状態）、及び２段目のスイッチ操作（第２のスイッチ部がオンされた状態）に応じて変化する、スイッチ装置２に印加した電圧の変化に基づいてモニタ１０１に表示させるメッセージ１０２等を制御している。なお、スイッチ装置２に制御部を組込んでＩＣ（Ｉｎｔｅｇｒａｔｅｄ  Ｃｉｒｃｕｉｔ）化し、１段目及び２段目のスイッチ操作を表す信号を送信するようにしても良い。
【００２２】
（動作）
以下に第１の実施の形態の動作を図１から４を参照し、図５及び図６を引用しながら詳細に説明する。
【００２３】
（１段目のスイッチ操作）
図５は、本発明の第１の実施の形態に係る１段目のスイッチ操作を行ったときのスイッチ装置の概略図であり、図６は、本発明の第１の実施の形態に係る２段目のスイッチ操作を行ったときのスイッチ装置の概略図である。
【００２４】
操作者が、ＣＤの再生を行うため、手指によって車両１のハンドルに設けられたスイッチ装置２をプッシュ操作する。このとき、ノブ２２は、マスクラバー２７を介して矢印Ｂ方向に変位し、同様に、ノブ２２を介してラバーコンタクト２３全体が矢印Ｂ方向に変位する。
【００２５】
このとき、ラバーコンタクト２３の変位によって、コイルばね２６も矢印Ｂ方向に変位する。こうして距離ｄ１分、操作者の手指によるプッシュ操作が行われたとき、１段目コンタクト２３ａの先端に設けられた第１の導電体２４ａが、第１及び第２の配線２５ａ、２５ｂに電気的に接する。
【００２６】
このとき、ＥＣＵ１００は、第１の導電体２４ａと第１及び第２の配線２５ａ、２５）の電気的な接続によるスイッチ装置２に印加した電圧の変化に基づいて１段目のスイッチ操作が行われたと判断し、スイッチ装置２に対応したメッセージ１０２をモニタ１０１に表示する。
【００２７】
（２段目のスイッチ操作）
操作者は、モニタ１０１に表示された「ＣＤの再生を行いますか？」というメッセージ１０２の内容が、希望したものであるので、引き続き２段目のスイッチ操作を行うため、更に矢印Ｂ方向にプッシュ操作を行う。
【００２８】
操作者が、１段目のスイッチ操作に続いて、更に矢印Ｂ方向にプッシュ操作を行うとき、１段目コンタクト２３ａがすでに第１及び第２の配線２５ａ、２５ｂに接しているので、湾曲部２３ｃが湾曲し、２段目コンタクト２３ｂが矢印Ｂ方向に更に変位する。
【００２９】
ノブ２２が、距離（ｄ２−ｄ１）変位したとき、２段目コンタクト２３ｂの先端に設けれた第２の導電体２４ｂが、第３及び第４の配線２５ｃ、２５ｄに電気的に接する。
【００３０】
このとき、ＥＣＵ１００は、第２の導電体２４ｂと第３及び第４の配線２５ｃ、２５ｄの電気的な接続によるスイッチ装置２に印加した電圧の変化に基づいて２段目のスイッチ操作が行われたと判断し、メッセージ１０２に従った動作、すなわち、図示しないオーディオ装置にＣＤの再生を指示する。
【００３１】
（効果）
上記した第１の実施の形態によると、構造が簡単で、信頼性が高く、更に２段階に切換が可能なスイッチ装置２を得ることができる。
【００３２】
[第２の実施の形態]
（スイッチ装置２の構成）
図７は、本発明の第２の実施の形態に係るスイッチ装置の図１におけるＡ−Ａ線断面図である。なお、第１の実施の形態と同じ構成、及び機能を有する部分については、共通の符号を付し、また、以下では、第１の実施の形態と異なる部分のみを説明するものとする。
【００３３】
スイッチ装置３は、図３に示す配線パターン２５Ａを有する基板３０と、基板３０上に設置され、凹部３１ａにノブ３２が上下方向に自在に変位するように配置された本体３１と、矢印Ｂ方向のプッシュ操作によってプッシュ方向にラバーコンタクト３３と共に変位するノブ３２と、第１及び第２の配線３５ａ、３５ｂの円形状部分に対応する位置に第１の導電体３４ａ設け、また、第３及び第４の配線３５ｃ、３５ｄの円形状部分に対応する位置に第２の導電体３４ｂが設けられたラバーコンタクト３３と、ラバーコンタクト３３の凹部３３ｄに設けられた弾性体であるコイルばね３６と、ゴム材によって形成され、外部からのごみの進入を防ぐマスクラバー３７とを備えて概略構成されている。
【００３４】
（配線パターン２５Ａについて）
配線パターン２５Ａは、第１の実施の形態における図３と同様の構成、及び形状を有している。なお、図３に示す第１の実施の形態における第１及び第２の配線２５ａ、２５ｂは、本実施の形態における第３及び第４の配線３５ｃ、３５ｄに対応し、第１の実施の形態における第３及び第４の配線２５ｃ、２５ｄは、本実施の形態における第１及び第２の配線３５ａ、３５ｂに対応している。これは、第１の実施の形態においては、１段目のスイッチ操作のときに接する１段目コンタクト２３ａが、ラバーコンタクト２３の中央に位置していたのに対して、第２の実施の形態においては、ラバーコンタクト３３の外周付近に位置するからである。また、１段目コンタクト３３ａにコイルばね３６を設けているので、第１及び第２の配線３５ａ、３５ｂは、第１の実施の形態における第３及び第４の配線２５ｃ、２５ｄよりも幅が小さくなっている。
【００３５】
（ノブ３２の構成）
ノブ３２は、例えば、樹脂材又は金属材によって円形状に形成され、操作者の手指が接する基部３２ａと、基部３２ａの外周部に設けられ、本体３１の凹部３１ａと接することで、本体３１からの抜けを防止する凸部３２ｂと、基部３２ａと凸部３２ｂとで形成された凹部３２ｃと、基部３２ａの裏面側にあり、ラバーコンタクト３３が取付けられる取付部３２ｅが設けられた裏面３２ｄと、ラバーコンタクト３３が取付けられる取付部３２ｅと、ラバーコンタクト３３の凹部３３ｅに挿入することで、取付部３２ｅにラバーコンタクト３３を固定することができるつめ３２ｆと、を備えて構成されている。なお、本実施の形態におけるノブ３２は、第１の実施の形態におけるノブ２２のように、裏面３２ｄに２段目コンタクト３３ｂが接する構成としても良い。また、第１の実施の形態においては、第２の実施の形態におけるノブ３２のように、裏面２２ｄに取付部を設け、２段目コンタクト２３ｂを支持するような構成であっても良く、これに限定されない。
【００３６】
（ラバーコンタクト３３の構成）
ラバーコンタクト３３は、例えば、ゴム材又は軟質樹脂材によって形成され、円形状を有する１段目コンタクト３３ａと、円形状を有する２段目コンタクト３３ｂと、１段目コンタクト３３ａと２段目コンタクト３３ｂとを繋ぐ略ドーム形状を有する湾曲部３３ｆとで構成されており、１段目コンタクト３３ａの先端には、図３に示す開区間２５ｅに対応する位置を除いた位置に設けられた略円形状の第１の導電体３４ａが設けられ、２段目コンタクト３３ｂの先端には、円形状を有する第２の導電体３４ｂが、設けられている。
【００３７】
１段目コンタクト３３ａは、一部に切かき部３３ｃを有し、コイルばね３６が設けられる凹部３３ｄを有している。本実施の形態におけるスイッチ装置３は、同じ構成のスイッチ装置３が複数ならんで基板３０上に設置されており、図示しない隣接するスイッチ装置３と、ラバーコンタクト３３の一部に設けられた連結部３３ｇを介した防水部３３ｈによって繋がっている。連結部３３ｇ及び防水部３３ｈは、ラバーコンタクト３３の全体に設けられても良い。防水部３３ｈは、装置内に進入する水等を防ぐ役割も有している。
【００３８】
第１及び第２の導電体３４ａ、３４ｂは、例えば、銅又は金等の導電性を有する金属材によって形成され、第１の導電体３４ａと第１及び第２の配線３５ａ、３５ｂとの距離ｄ３は、０．４ｍｍであり、第２の導電体３４ｂと第３及び第４の配線３５ｃ、３５ｄとの距離ｄ４は、１．３ｍｍである。
【００３９】
（コイルばね３６の構成）
コイルばね２６は、円筒状を有し、弾性力を図２の上方に付加しており、矢印Ｂ方向のスイッチ操作による、１段目のストロークを決める第１の導電体３４ａと第１及び第２の配線３５ａ、３５ｂとの距離ｄ３を、常に一定に保持する働きをしており、第１の実施の形態と同様に、へたり、温度、及び湿度による劣化に強く、また、信頼性が高く、構造も簡単である。また、スイッチ装置３は、コイルばね３６の調整によって、操作者のプッシュ操作における荷重を自由に調整できる。
【００４０】
（動作）
以下に第２の実施の形態の動作を図１から図７を参照し、図８及び図９を引用しながら詳細に説明する。
【００４１】
（１段目のスイッチ操作）
図８は、本発明の第２の実施の形態に係る１段目のスイッチ操作を行ったときのスイッチ装置の概略図であり、図９は、本発明の第２の実施の形態に係る２段目のスイッチ操作を行ったときのスイッチ装置の概略図である。
【００４２】
操作者が、ＣＤの再生を行うため、手指によって車両１に設けられたスイッチ装置３をプッシュ操作する。このとき、ノブ３２は、マスクラバー３７を介して矢印Ｂ方向に変位し、同様に、ノブ３２を介してラバーコンタクト３３全体が矢印Ｂ方向に変位する。
【００４３】
このとき、ラバーコンタクト３３の変位によって、コイルばね３６も矢印Ｂ方向に変位する。こうして距離ｄ３分、操作者の手指によるプッシュ操作が行われたとき、１段目コンタクト３３ａの先端に設けられた第１の導電体３４ａが、第１及び第２の配線３５ａ、３５ｂに電気的に接する。
【００４４】
このとき、ＥＣＵ１００は、第１の導電体３４ａと第１及び第２の配線３５ａ、３５ｂの電気的な接続によるスイッチ装置２に印加した電圧の変化に基づいて１段目のスイッチ操作が行われたと判断し、スイッチ装置２に対応した図１に示すメッセージ１０２をモニタ１０１に表示する。
【００４５】
（２段目のスイッチ操作）
操作者は、図１に示すモニタ１０１に表示された「ＣＤの再生を行いますか？」というメッセージ１０２の内容が、希望したものであるので、引き続き２段目のスイッチ操作を行うため、更に矢印Ｂ方向にプッシュ操作を行う。
【００４６】
操作者が、１段目のスイッチ操作に続いて、更に矢印Ｂ方向にプッシュ操作を行うとき、１段目コンタクト３３ａがすでに第１及び第２の配線３５ａ、３５ｂに接しているので、湾曲部３３ｆが湾曲し、２段目コンタクト３３ｂが矢印Ｂ方向に更に変位する。
【００４７】
ノブ３２が、距離（ｄ４−ｄ３）変位したとき、２段目コンタクト３３ｂの先端に設けられた第２の導電体３４ｂが、第３及び第４の配線３５ｃ、３５ｄに電気的に接する。
【００４８】
このとき、ＥＣＵ１００は、第２の導電体３４ｂと第３及び第４の配線３５ｃ、３５ｄの電気的な接続によるスイッチ装置２に印加した電圧の変化に基づいて２段目のスイッチ操作が行われたと判断し、メッセージ１０２に従った動作、すなわち、図示しないオーディオ装置にＣＤの再生を指示する。
【００４９】
（効果）
上記した第２の実施の形態によると、第１の実施の形態と構成が異なるが、同様に、構造が簡単で、信頼性が高く、更に２段階に切換が可能なスイッチ装置３を得ることができる。
【００５０】
なお、本発明は、上記した実施の形態に限定されず、本発明の技術思想を逸脱あるいは変更しない範囲内で種々の変形が可能である。
【図面の簡単な説明】
【００５１】
【図１】本発明の第１の実施の形態に係る車両内部の概略図である。
【図２】本発明の第１の実施の形態に係るスイッチ装置の図１におけるＡ−Ａ線断面図である。
【図３】本発明の第１の実施の形態に係る基板上に形成された配線パターンに関する概略図である。
【図４】本発明の第１の実施の形態に係るスイッチ装置に関するブロック図である。
【図５】本発明の第１の実施の形態に係る１段目のスイッチ操作を行ったときのスイッチ装置の概略図である。
【図６】本発明の第１の実施の形態に係る２段目のスイッチ操作を行ったときのスイッチ装置の概略図である。
【図７】本発明の第２の実施の形態に係るスイッチ装置の図１におけるＡ−Ａ線断面図である。
【図８】本発明の第２の実施の形態に係る１段目のスイッチ操作を行ったときのスイッチ装置の概略図である。
【図９】本発明の第２の実施の形態に係る２段目のスイッチ操作を行ったときのスイッチ装置の概略図である。
【符号の説明】
【００５２】
１…車両、２、３…スイッチ装置、２０…基板、２１…本体、２１ａ…凹部、２２…ノブ、２２ａ…基部、２２ｂ…凸部、２２ｃ…凹部、２２ｄ…裏面、２３…ラバーコンタクト、２３ａ…１段目コンタクト、２３ｂ…２段目コンタクト、２３ｃ…湾曲部、２３ｄ…凹部、２４ａ…第１の導電体、２４ｂ…第２の導電体、２５Ａ…配線パターン、２５ａ〜２５ｄ…第１〜第４の配線、２５ｅ…開区間、２７…マスクラバー、３０…基板、３１…本体、３１ａ…凹部、３２…ノブ、３２ａ…基部、３２ｂ…凸部、３２ｃ…凹部、３２ｄ…裏面、３２ｅ…取付部、３３…ラバーコンタクト、３３ａ…１段目コンタクト、３３ｂ…２段目コンタクト、３３ｃ…切かき部、３３ｄ…凹部、３３ｅ…凹部、３３ｆ…湾曲部、３３ｇ…連結部、３３ｈ…防水部、３４ａ…第１の導電体、３４ｂ…第２の導電体、３５ａ〜３５ｄ…第１〜第４の配線、３７…マスクラバー、１０１…モニタ、１０２…メッセージ、Ｂ…矢印、ｄ１〜ｄ４…距離
【図１】
2009054418.tif 000003
【図２】
2009054418.tif 000004
【図３】
2009054418.tif 000005
【図４】
2009054418.tif 000006
【図５】
2009054418.tif 000007
【図６】
2009054418.tif 000008
【図７】
2009054418.tif 000009
【図８】
2009054418.tif 000010
【図９】
2009054418.tif 000011